(57)【特許請求の範囲】
【請求項１】
第１の面を有する半導体基板と、
前記半導体基板の前記第１の面の上に設けられた電極と、
前記半導体基板の前記第１の面の上に設けられ、前記電極の少なくとも一部とオーバーラップする開口部を有する絶縁膜と、
前記絶縁膜の上に設けられ、表面が曲面である樹脂突起と、
前記電極と電気的に接続された第１の導電層であって、少なくとも一部が前記樹脂突起の上に位置する第１の部分と、前記第１の部分以外の第２の部分を有する前記第１の導電層と、
前記第１の部分の上に設けられ、少なくとも一部が前記樹脂突起の上に位置する第２の導電層と、
前記第２の部分の上に設けられた酸化膜と、
を有し、
前記第１の導電層は、チタン、チタンタングステン、ニッケル、銅又はクロムを含み、
前記酸化膜は、前記第１の導電層に含まれるチタン、チタンタングステン、ニッケル、銅又はクロムの酸化物で形成された、半導体装置。
【請求項２】
請求項１において、
前記第１の部分は、前記樹脂突起の上から前記絶縁膜の上に延びるように設けられた、半導体装置。
【請求項３】
請求項１または２において、
前記第１の導電層は、チタン、ニッケル、クロム、銅のいずれか１つを含み、
前記第２の導電層は、金、白金、銀、パラジウムのいずれか１つを含む、半導体装置。
【請求項４】
請求項１から３のいずれか１項に記載の半導体装置と、
前記半導体装置の前記第１の面に対向して配置されたベース基板と、前記ベース基板の前記半導体装置に対向する面に設けられた配線パターンと、を有する配線基板と、
前記半導体装置と前記配線基板の間に配置された接着層と、
を含み、
前記第１の部分の上に設けられた前記第２導電層の少なくとも一部は、前記配線パターンと接触し、
前記酸化膜と前記接着層が接触している電子部品。
【請求項５】
請求項４において、
前記第２の導電層と前記接着層との接着性は、前記酸化膜と前記接着層との接着性よりも弱い、電子部品。
【請求項６】
第１の面を有する半導体基板と、前記半導体基板の前記第１の面に設けられた電極と、前記半導体基板の前記第１の面に設けられ、前記電極の少なくとも一部とオーバーラップする開口部を有する絶縁膜を有する構造体を用意する工程と、
前記絶縁膜の上に、表面が曲面である樹脂突起を形成する工程と、
前記電極と電気的に接続され、チタン、チタンタングステン、ニッケル、銅又はクロムを含む第１の導電層であって、少なくとも一部が前記樹脂突起の上に位置する第１の部分と、前記第１の部分以外の第２の部分を有する前記第１の導電層を形成する工程と、
前記第１の部分に、少なくとも一部が前記樹脂突起の上に位置するように第２の導電層を形成する工程と、
前記第２の部分を酸化してチタン、チタンタングステン、ニッケル、銅又はクロムの酸化物を含む酸化膜を形成する工程と、
を有する、半導体装置の製造方法。
【請求項７】
請求項６において、
前記第１の部分は、前記樹脂突起の上から前記絶縁膜の上に延びるように設けられる、半導体装置の製造方法。
【請求項８】
請求項６または７に記載の半導体装置の製造方法によって製造された半導体装置を準備する工程と、
前記半導体装置に対向して配置されたベース基板と、前記ベース基板の前記半導体装置に対向する面に形成された配線パターンを有する配線基板を準備する工程と、
前記半導体装置と、前記配線基板の間に接着剤を前記酸化膜と接触するように介在させる工程と、
前記半導体装置の前記第１の部分の前記第２の導電層と、前記配線基板の前記配線パターンを接触させ、前記半導体装置と、前記配線基板を電気的に接続する工程と、
を含む、電子部品の製造方法。
【発明の詳細な説明】
【技術分野】
【０００１】
本発明は、半導体装置および電子部品並びにそれらの製造方法に関する。
【背景技術】
【０００２】
例えば、液晶表示装置等の電子部品のガラスまたはプラスチック等からなる配線基板に実装される駆動用の半導体装置として、樹脂突起と、その上に形成された複数の配線から構成された外部端子を有する半導体装置が知られている（特許文献１）。このような半導体装置を用いることで、外部端子を配線基板に押し当てて電気的に接続する際、外部端子の樹脂突起の弾性力によって物理的ダメージを回避しながら導通性を確保することができる。
【０００３】
このような半導体装置の外部端子の配線構造は、互いに異なる金属からなる下地配線と、表層配線の２層構造であること知られている（特許文献１）。このような配線構造の材料としては、例えば、表層配線層には、金（Ａｕ）のように、導電性が良好で、耐腐食性や耐酸化性を有する安定的な金属材料を用いることができる。
【０００４】
ところで、このような半導体装置は、パッケージの小型化と、外部端子の高密度化が同時に要求される。したがって、半導体装置の外部端子が形成される面であって、電子部品に電気的接続される面は、小面積化しつつ、外部端子の数が増加している。つまりは、半導体装置の接続面において外部端子の表面の占める割合が増加している。この結果、半導体チップが、例えばガラス基板等に、樹脂等からなる接着剤を介して電気的に接続される際、接着剤と半導体装置との接着性に関して、接着剤と外部端子を構成する配線の表面との接着性が影響する。
【０００５】
しかしながら、外部端子の表層配線に用いられる、比較的に導電性が良好な金属は、樹脂等からなる接着剤との接着性に乏しい。したがって、外部端子数がさらに増加した場合、若しくは半導体装置の接続面において表層配線の表面の占める割合が増加した場合、半導体装置の接着剤との接着性が低下することによって、半導体装置と、被実装基板との電気的接続の信頼性を低下させる可能性がある。
【先行技術文献】
【特許文献】
【０００６】
【特許文献１】特開２００５−１０１５２７号公報
【発明の概要】
【発明が解決しようとする課題】
【０００７】
本発明の様態の１つは、電気的接続の信頼性が高い半導体装置を提供することにある。
【０００８】
本発明の様態の１つは、上記の半導体装置が実装された、信頼性の高い電子部品を提供することにある。
【０００９】
本発明の様態の１つは、電気的接続の信頼性が高い半導体装置の製造方法を提供することにある。
【００１０】
本発明の様態の１つは、信頼性が高い電子部品の製造方法を提供することにある。
【課題を解決するための手段】
【００１１】
（１）本発明の様態の１つである半導体装置は、
第１の面を有する半導体基板と、
前記半導体基板の前記第１の面の上に設けられた電極と、
前記半導体基板の前記第１の面の上に設けられ、前記電極の少なくとも一部とオーバーラップする開口部を有する絶縁膜と、
前記絶縁膜の上に設けられた樹脂突起と、
前記電極と電気的に接続された第１の導電層であって、少なくとも一部が前記樹脂突起の上に位置する第１の部分と、前記第１の部分以外の第２の部分を有する前記第１の導電層と、
前記第１の部分の上に設けられ、少なくとも一部が前記樹脂突起の上に位置する第２の導電層と、
前記第２の部分の上に設けられた酸化膜と、
を有する。
【００１２】
なお、本発明に係る記載では、「〜の上」という文言を、例えば、「特定のもの（以下「Ａ」という）の「上」に他の特定のもの（以下「Ｂ」という）を形成する」等と用いている。本発明に係る記載では、この例のような場合に、Ａ上に直接Ｂを形成するような場合と、Ａ上に他のものを介してＢを形成するような場合とが含まれるものとして、「〜の上」という文言を用いている。同様に、「〜の下」という文言は、Ａ下に直接Ｂを形成するような場合と、Ａ下に他のものを介してＢを形成するような場合とが含まれるものとする。
【００１３】
本発明によれば、半導体装置の電気的接続の信頼性を向上することができる。通常、接着剤を用いて、半導体装置が、配線基板等の被実装基板に電気的に接続される場合、第１の導電層の樹脂突起の上に位置する部分が、被実装基板との電気的な接続部分となり、第１の導電層の電気的な接続部分以外は、接着剤との接着部分となる。本発明においては、第１の導電層の第２の部分には、接着剤との接着性が良好な酸化膜が形成される。これによれば、半導体装置と接着剤との接着性を向上させることができる。したがって、半導体装置の電気的接続の信頼性を向上することができる。
【００１４】
（２）本発明の様態の１つにおいて、
前記第１の部分は、前記樹脂突起の上から前記絶縁膜の上に延びるように設けられていてもよい。
【００１５】
これによれば、第１の導電層が、樹脂突起の上から絶縁膜の上への延びる境界部分（樹脂突起が絶縁膜に接する面の外形端部の上）において、第１の導電層と第２の導電層が形成される。このような、樹脂突起が絶縁膜に接する面の外形端部の周辺は、応力が集中しやすい。したがって、本様態によれば、半導体装置の一定の応力耐性を保ちつつ、半導体装置と接着剤との接着性を向上させた半導体装置を提供することができる。
【００１６】
（３）本発明の様態の１つにおいて、
前記第１の導電層は、チタン、ニッケル、クロム、銅、アルミニウムのいずれか１つを含み、
前記第２の導電層は、金、白金、銀、パラジウムのいずれか１つを含んでいてもよい。
【００１７】
これによれば、樹脂突起の上に位置する第１の部分には第１の導電層よりも導電性の高い第２の導電層が設けられる。したがって、電気的接続部分となる第１の部分に、第１の導電層よりも導電性が高い第２の導電層が形成されることで、半導体装置と、被実装基板との良好な導通性を確保することができる。
【００１８】
（４）本発明の様態の１つである電子部品は、
上記いずれか１つの半導体装置と、
前記半導体装置の前記第１の面に対向して配置されたベース基板と、前記ベース基板の前記半導体装置に対向する面に設けられた配線パターンと、を有する配線基板と、
前記半導体装置と前記配線基板の間に配置された接着層と、
を含み、
前記第１の部分の上に設けられた前記第２導電層の少なくとも一部は、前記配線パターンと電気的に接続し、
前記酸化膜と前記接着層が接触している。
【００１９】
本発明によれば、信頼性の高い半導体装置が電気的に接続された電子部品を提供することができる。したがって、信頼性の高い電子部品を提供することができる。
【００２０】
（５）本発明の様態の１つにおいて、
前記第２の導電層と前記接着層との接着性は、前記酸化膜と前記接着層との接着性よりも弱くてもよい。
【００２１】
（６）本発明の様態の１つである半導体装置の製造方法は、
第１の面を有する半導体基板と、前記半導体基板の前記第１の面に設けられた電極と、前記半導体基板の前記第１の面に設けられ、前記電極の少なくとも一部とオーバーラップする開口部を有する絶縁膜を有する構造体を用意する工程と、
前記絶縁膜の上に樹脂突起を形成する工程と、
前記電極と電気的に接続された第１の導電層であって、少なくとも一部が前記樹脂突起の上に位置する第１の部分と、前記第１の部分以外の第２の部分を有する前記第１の導電層を形成する工程と、
前記第１の部分に、少なくとも一部が前記樹脂突起の上に位置するように第２の導電層を形成する工程と、
前記第２の部分に酸化膜を形成する工程と、
を有する。
【００２２】
本発明によれば、接続信頼性の高い半導体装置の製造方法を提供することができる。
【００２３】
（７）本発明の様態の１つにおいて、
前記第１の部分は、前記樹脂突起の上から前記絶縁膜の上に延びるように設けられていてもよい。
【００２４】
（８）本発明の様態の１つである電子部品の製造方法は、
上記いずれかに記載の半導体装置の製造方法によって製造された半導体装置を準備する工程と、
前記半導体装置に対向して配置されたベース基板と、前記ベース基板の前記半導体装置に対向する面に形成された配線パターンを有する配線基板を準備する工程と、
前記半導体装置と、前記配線基板の間に接着剤を前記酸化膜と接触するように介在させる工程と、
前記半導体装置の前記第１の部分の前記第２の導電層と、前記配線基板の前記配線パターンを接触させ、前記半導体装置と、前記配線基板を電気的に接続する工程と、
を含む。
【００２５】
本発明によれば、接続信頼性の高い半導体装置を有する電子部品の製造方法を提供することができる。
【図面の簡単な説明】
【００２６】
【図１】本実施形態に係る半導体装置の要部を模式的に示す平面図および断面図。
【図２】本実施形態に係る半導体装置の要部の変形例を模式的に示す平面図。
【図３】本実施形態に係る半導体装置の製造方法を模式的に示す断面図。
【図４】本実施形態に係る半導体装置の製造方法を模式的に示す断面図。
【図５】本実施形態に係る電子部品の製造方法を模式的に示す断面図。
【図６】本実施形態に係る電子部品の一例を模式的に示す斜視図。
【発明を実施するための形態】
【００２７】
以下に、本発明を適用した実施形態の一例について図面を参照して説明する。ただし、本発明は以下の実施形態のみに限定されるものではない。本発明は、以下の実施形態およびその変形例を自由に組み合わせたものを含むものとする。
【００２８】
１．  半導体装置
以下、図面を参照して、第１の実施の形態に係る半導体装置について説明する。
【００２９】
図１（Ａ）は、本実施形態に係る半導体装置１００を模式的に示す平面図である。図１（Ｂ）は、図１（Ａ）に示す半導体装置１００のＩＢ−ＩＢ線の要部を模式的に示す断面図である。
【００３０】
半導体基板１０は、図１（Ａ）に示すように、チップ状をなしていてもよい。すなわち、半導体基板１０は半導体チップであってもよい。あるいは、半導体基板１０は、複数の半導体基板１０からなるウエハ状をなしていてもよい（図示せず）。例えば、導体基板１０は、シリコン基板であってもよい。図示はされないが、半導体基板１０には、集積回路が形成される。集積回路の構成は特に限定されないが、例えば、トランジスタ等の能動素子や、抵抗、コイル、コンデンサ等の受動素子を含んでいてもよい。
【００３１】
半導体基板１０がチップ状をなす場合、図１（Ｂ）に示すように、半導体基板１０は、第１の面１１と、第１の面１１の反対側の面である第２の面１２と、を有する。図１（Ａ）および図１（Ｂ）に示すように、第１の面１１は、複数の外部端子６０が形成される面である。なお、複数の外部端子６０は一つであってもよい。
【００３２】
第１の面１１の上において外部端子６０が形成される領域は特に限定されず、図１（Ａ）に示すように、例えば、半導体基板１０の第１の面１１が長方形である場合、長辺に沿って複数設けられていてもよい。また、図示はしないが、第１の面１１の短辺（長辺よりも短い辺）に沿って複数設けられていてもよい。また、図示はしないが、外部端子６０は、集積回路が形成される領域上に設けられてもよいし、集積回路が形成される領域以外に形成されていてもよい。
【００３３】
図１（Ａ）および図１（Ｂ）に示すように、半導体装置１００は、第１の面１１上に電極１４を有する。電極１４は、半導体基板１０の内部に形成された集積回路と内部配線（図示せず）によって電気的に接続されていてもよい。電極１４は、半導体基板１０の内部配線の一部であってもよい。
【００３４】
電極１４が形成される領域は、第１の面１１の上である限り、特に限定されない。電極１４は、集積回路が形成される領域の上方に形成されてもよい。または、電極１４は、集積回路が形成される領域以外に形成されていてもよい。電極１４は、図１（Ａ）に示すように、複数形成されてもよい。また、電極１４は、半導体基板１０の長辺に沿って配置されていてもよい。
【００３５】
電極１４の材質は、導電性を有する限り、特に限定されない。例えば、電極１４は、アルミニウム（Ａｌ）又は銅（Ｃｕ）等の金属で形成されていてもよい。電極１４は、単層の導電層であってもよいし、アルミニウム等の金属拡散を防止するバリア層を含む、複数の導電層の積層体であってもよい。
【００３６】
図１（Ｂ）に示すように、半導体装置１００は、絶縁膜１６を有する。絶縁膜１６はパッシベーション膜であってもよい。絶縁膜１６は、第１の面１１上で、電極１４の少なくとも一部を露出させるように形成されていてもよい。つまりは、絶縁膜１６は、電極１４の少なくとも一部とオーバーラップする開口部１６ａを有していてもよい。絶縁膜１６は、電気的絶縁性を有する膜であれば、特に限定されない。例えば、絶縁膜１６は、ＳｉＯ２やＳｉＮ等の無機絶縁膜であってもよい。あるいは、絶縁膜１６は、ポリイミド樹脂等の有機絶縁膜であってもよい。
【００３７】
以下において本実施形態に係る外部端子６０について説明する。
【００３８】
図１（Ｂ）に示すように、半導体装置１００は、絶縁膜１６の上に形成された樹脂突起１８と、を有する。樹脂突起１８が形成される位置は特に限定されるものではなく、図１（Ａ）に示すように、樹脂突起１８は、電極１４に隣接して形成される。
【００３９】
樹脂突起１８の形状は、特に限定されるものではない。図１（Ａ）に示すように、樹脂突起１８は、特定の方向に延びるように形成されていてもよい。また、図１（Ａ）に示すように、樹脂突起１８は、例えば、第１の面１１の長辺に沿って延びるように形成されていてもよい。
【００４０】
ここで、図１（Ａ）に示すように、樹脂突起１８が延びる方向を第１の方向１１０とし、第１の方向１１０と直交する方向を第２の方向１２０とする。
【００４１】
図１（Ｂ）に示すように、樹脂突起１８の表面は、曲面になっていてもよい。樹脂突起１８は、第２の方向１２０において、図１（Ｂ）に示すように、略半円の断面形状を有していてもよい。また、図示はしないが、樹脂突起１８の後述される配線層２０が形成されない部分において、凹部が形成されていてもよい。凹部の深さは、特に限定されない。これによれば、外部端子の配線間の距離が大きくなり、マイグレーションを防止することができる。また、接着剤を介して、半導体装置を配線基板へ押し当てて実装する際、凹部から不要な接着剤が排出されるため、接着剤の排出性が向上する。
【００４２】
樹脂突起１８の材料は特に限定されず、既に公知となっているいずれかの樹脂材料を適用することができる。例えば、樹脂突起１８は、公知の感光性樹脂材料から形成されていてもよい。具体的には、樹脂突起１８は、ポリイミド樹脂、シリコーン変性ポリイミド樹脂、エポキシ樹脂、シリコーン変性エポキシ樹脂、ベンゾシクロブテン（ＢＣＢ；ｂｅｎｚｏｃｙｃｌｏｂｕｔｅｎｅ）、ポリベンゾオキサゾール（ＰＢＯ；ｐｏｌｙｂｅｎｚｏｘａｚｏｌｅ）、フェノール樹脂等の樹脂で形成されていてもよい。
【００４３】
図１（Ａ）および図１（Ｂ）に示すように、半導体装置１００は、電極１４と電気的に接続され、一部が樹脂突起１８の上に設けられた配線層２０を有する。つまりは、図１（Ａ）および図１（Ｂ）に示すように、配線層２０は、絶縁膜１６の開口部１６ａ内の電極１４に電気的に接続し、開口部１６ａから絶縁膜１６の上を介して樹脂突起１８の上に至るように設けられる。図１（Ｂ）に示すように、配線層２０は、樹脂突起１８の最も厚みのある部分を覆うように形成される。
【００４４】
図１（Ｂ）に示すように、配線層２０は、電極１４と電気的に接続され、一部が樹脂突起１８の上に設けられた第１の導電層２１を有する。図１（Ｂ）に示すように、第１の導電層２１は、絶縁膜１６の上と樹脂突起１８の上に形成される導電膜である。第１の導電層は、配線層２０の最下層に位置する下地配線であってもよい。
【００４５】
ここで、図１（Ｂ）に示すように第１の導電層２１は、樹脂突起１８の上に位置する第１の部分２１ａと、第１の部分２１ａ以外の第２の部分２１ｂを有する。以下に、第１の部分２１ａに係る詳細を説明する。
【００４６】
本実施形態に係る半導体装置は、外部端子６０の樹脂突起１８の上に形成された配線層を、配線基板等の被実装基板の配線パターン等の電気的接続部に押し当てて、樹脂突起１８および配線層２０を弾性的に変形させることにより、配線層２０の一部と、被実装基板の配線パターンとを接触させる。これによって、半導体装置を、被実装基板に電気的に接続させることができる。
【００４７】
ここで、本実施形態に係る第１の部分２１ａとは、電気的に接続される際、配線層２０の内、後述される第２の導電層２２を介して、被実装基板の配線パターンと接触する部分（以下、「接触部分」とも言う）を含んでいてもよい。したがって、第１の部分２１ａは、電気的に接続される際、配線層２０の内、接触部分の一部であってもよい。また、第１の部分２１ａは、樹脂突起１８の最も厚みを有する部分（絶縁膜１６からの厚みが最も厚い部分）を覆っていてもよい。また、第１の部分２１ａは、樹脂突起１８の頂部（絶縁膜１６からの高さが最も高い部分）を覆っていてもよい。
【００４８】
本実施形態に係る第２の部分２１ｂは、図１（Ｂ）に示すように、第１の配線層２１の第１の部分２１ａを除く部分である。第２の部分２１ｂは、第１の導電層２１の第１の部分２１ａを決定することによって、適宜決定される。第２の部分２１ｂは、本実施形態に係る半導体装置が、被実装基板へ実装される際、半導体装置と、被実装基板との間に設けられる接着剤と接着する部分である。また、第１の部分２１ａが、接触部分の一部である場合、第２の部分２１ｂの一部も接触部分に含まれていてもよい。
【００４９】
第１の導電層２１の材料は、樹脂等の材料と接着性の高い導電層材料から形成されていている限り特に限定されない。具体的には、第１の導電層２１は、チタン（Ｔｉ）、チタンタングステン（ＴｉＷ）、ニッケル（Ｎｉ）、銅（Ｃｕ）、アルミニウム（Ａｌ）およびクロム（Ｃｒ）等の少なくとも１つを含む層であってもよい。
【００５０】
次に、図１（Ｂ）に示すように、第１の導電層２１の第１の部分２１ａの上に、第２の導電層２２が形成される。言い換えれば、第２の導電層２２は、第１の導電層２１の樹脂突起１８の上に位置する第１の部分２１ａを覆うように形成される。第２の導電層２２は、接触部分において、被実装基板の配線パターンと、直接接触する導電層である。
【００５１】
第２の導電層２２の材料は、第１の導電層２１よりも高い導電性を有する材料であればよい。また、第２の導電層２２の材料は、第１の導電層２１の材料よりも、耐腐食性や耐酸化性を有する安定的な金属を用いてもよい。具体的には、第２の導電層２２は、金（Ａｕ）、銀（Ａｇ）、パラジウム（Ｐｄ）および白金（Ｐｔ）等の少なくとも１つを含む層であってもよい。
【００５２】
次に、図１（Ｂ）に示すように、第１の導電層２１の第２の部分２１ｂの上に、酸化層２６が形成される。言い換えれば、酸化層２６は、第１の導電層２１の第２の部分２１ｂを覆うように形成される。酸化層２６は、第１の導電層２１の酸化膜であることができる。例えば、第１の導電層２１が、チタン（Ｔｉ）から形成される場合、酸化層２６は、酸化チタン（ＴｉＯ２）であることができる。また、例えば、第１の導電層２１が、クロム（Ｃｒ）から形成される場合、酸化層２６は、酸化クロム（Ｃｒ２Ｏ３、ＣｒＯ３、ＣｒＯ２）であることができる。
【００５３】
以上のいずれかの構成によって、外部端子６０を有する半導体装置１００を構成することができる。
【００５４】
本実施形態に係る半導体装置１００は、例えば、以下の特徴を有する。
【００５５】
本発明によれば、配線層２０の電気的な接触部分において、第２の導電層２２が形成され、第２の導電層２２以外の配線層２０の表面には、第１の導電層２１の酸化層２６が形成される。ここで、第２の導電層２２は、例えば金等、第１の導電層２１と比べて導電性の高い材料から形成される。また、酸化層２６は、酸化チタン等、第２の導電層２２と比べて接着剤との接着性が高い材料から形成される。
【００５６】
以上によれば、第２の導電層２２が、配線層２０の表面を構成する場合と比べて、酸化層２６が配線層２０の表面を構成する部分が増加するため、半導体装置の接着剤に対する接着性を向上させることができる。また、半導体装置が被実装基板に電気的に接続される場合であっても、電気的な接触部分には、導電性の高い第２の導電層２２が形成されるため、電気的な導電性を実質的に維持することができる。したがって、接着剤と、半導体装置が、より確実に接着されることで、半導体装置の電気的接続の信頼性を向上することができる。
【００５７】
以上により、接続信頼性の高い半導体装置１００を提供することができる。
【００５８】
（変形例）
図２において、本実施形態に係る半導体装置１００の変形例の一例を示す。
【００５９】
図２に示すように、第１の部分２１ａは、樹脂突起１８の上から絶縁膜１６の上に延びるように設けられていてもよい。言い換えれば、第１の部分２１ａは、樹脂突起１８を覆い、かつ、その一部が、絶縁膜１６の上に直接形成されていてもよい。これによって、図２に示すように、第２の導電層２２は、樹脂突起１８を覆う部分２２ａと、樹脂突起１８を覆わない部分２２ｂとを有することができる。
【００６０】
本変形例によれば、配線層２０の弾性変形をする部分である、樹脂突起１８を覆う部分を、第１の導電層２１と第２の導電層２２との二層構造のみで形成することができる。したがって、外部端子６０の変形性が安定し、複数の外部端子６０を形成した場合であっても、複数の外部端子６０の変形性を、より均一化することができ、半導体装置の接続信頼性を向上させることができる。
【００６１】
また、本変形例によれば、第１の導電層２１の絶縁膜１６を覆う部分と樹脂突起１８を覆う部分の間の屈曲部２１ｃを、第２の導電層２２で覆うことができる。半導体装置１００が、被実装基板に電気的に接続される際、水平方向の応力は、屈曲部２１ｃに集中しやすい。したがって、第１の導電層２１の屈曲部２１ｃは、物理的ダメージを受けやすい。しかしながら、本変形例のように、第１の導電層２１の屈曲部２１ｃを覆うように第２の導電層２２を設けることで、半導体装置１００の信頼性を向上させることができる。
【００６２】
２．  半導体装置の製造方法
以下、図面を参照して、本実施形態に係る半導体装置の製造方法の一例について説明する。したがって、本実施形態に係る半導体装置の製造方法は以下に限定されるものではない。
【００６３】
図３および図４は、本実施形態に係る半導体装置の製造方法の一例を模式的に説明する要部の断面図である。
【００６４】
図３（Ａ）に示すように、第１の面と、前記第１の面の反対側の第２の面とを有する半導体基板１０（半導体ウエハまたはチップ）と、半導体基板１０の第１の面１１に設けられた電極１４と、半導体基板１０の第１の面１１に設けられ、電極１４の少なくとも一部とオーバーラップする開口部１６ａを有する絶縁膜１６と、を有する構造体を用意する。図示はされないが、半導体基板１０の内部には集積回路が形成されている。半導体基板１０、電極１４および絶縁膜１６との詳細な構成は、上述されているため、省略する。
【００６５】
図３（Ｂ）に示すように、電極１４および絶縁膜１６の上に、樹脂前駆体組成物からなる樹脂材料膜４０が形成される。樹脂材料膜４０は、熱硬化性を有した熱硬化性樹脂組成物であってもよいし、感光性を有した感光性樹脂組成物であってもよい。以下の本実施形態では、感光性を有した樹脂材料膜４０を用いた場合の製造方法の一例について後述する。
【００６６】
樹脂材料膜４０は、半導体装置１０の第１の面１１の上方において全面的に塗布されて形成されてもよい。また、樹脂材料膜４０は、塗布された後、プリベークされてもよい。また、樹脂材料膜４０は、例えばシート状物であってもよい。樹脂材料膜４０は、ポリイミド樹脂、シリコーン変性ポリイミド樹脂、エポキシ樹脂、シリコーン変性エポキシ樹脂、ベンゾシクロブテン（ＢＣＢ；ｂｅｎｚｏｃｙｃｌｏｂｕｔｅｎｅ）、ポリベンゾオキサゾール（ＰＢＯ；ｐｏｌｙｂｅｎｚｏｘａｚｏｌｅ）、フェノール樹脂、アクリル樹脂等の樹脂であってもよい。
【００６７】
次に、図３（Ｃ）に示すように、樹脂材料膜４０を図示しないマスク等の露光装置によって露光した後、現像液によって現像し、パターニングを行って、樹脂層４１を形成する。
【００６８】
樹脂層４１は、キュアリングの後に樹脂突起１８となる樹脂層である。図示はされないが、樹脂層４１は、第１の方向１１０に沿って延びるように形成されてもよい。例えば、第１の面１１の長辺に沿って延びるように形成されてもよい（図１参照）。
【００６９】
本工程における露光現像処理は、公知のフォトリソグラフィー技術を用いることができる。例えば、樹脂材料膜４０がポジ型のレジストである場合、マスク（図示せず）は、樹脂突起１８が形成される領域において、樹脂材料膜４０が露光処理されるように配置される。また、樹脂材料膜４０がネガ型のレジストである場合は、樹脂突起１８が形成される領域においてマスクが配置されてもよい。マスクは、遮光性を有していればよく、例えば、クロム等の遮光膜が形成されたガラス板であってもよい。マスクが所定配置に配置された後、図示しない光源ランプから例えば紫外線の照射が行われて、露光処理が行われる。現像処理に用いられる現像液は、不要な樹脂層を除去できる公知の現像液であればよく、例えば、有機アルカリ現像液であってもよい。
【００７０】
樹脂突起１８を形成する工程は、図３（Ｄ）に示すように、樹脂層４１を熱処理（キュアリング）することによって、樹脂層４１を変形させる工程をさらに含む。
【００７１】
樹脂層４１を加熱する手段は特に限定されず、図示しない熱源から赤外線を照射することによって加熱してもよい。樹脂層４１が加熱されることによって粘性が低下し、樹脂層４１の自重と表面張力の作用によって、樹脂層４１は形状を変形することができる。その結果、図３（Ｄ）に示すように、上面形状が滑らかな曲線を有し、その断面が略半円形状である樹脂突起１８が形成される。
【００７２】
次に、図４（Ａ）に示すように、第１の面１１の上方にて電極１４、絶縁膜１６および樹脂突起１８を連続して覆う、第１の導電膜５０と第２の導電膜５１を形成する。具体的には、第１の導電膜５０を形成した後、連続して、第２の導電層５１を形成すればよい。第１の導電膜５０は、第１の導電層２１を構成する導電膜である。第２の導電膜５１は、第２の導電層２２を構成する導電膜である。したがって、第１の導電膜５０の材料および構成は、第１の導電層２１の説明を適用し、第２の導電膜５１の材料および構成は、第２の導電層２２の説明を適用し、省略する。第１の導電膜５０および第２の導電膜５１の成膜方法は特に限定されず、公知の成膜方法を用いることができる。例えば、第１の導電膜５０および第２の導電膜５１は、スパッタリングにて形成してもよい。
【００７３】
ここで、第１の導電膜５０の膜厚は、後に第１の導電層２１の第２の部分２１ｂにおいて形成される酸化層２６を考慮した所望の膜厚で形成される。
【００７４】
次に、図４（Ｂ）に示すように、第１の導電膜５０の第１の部分２１ａとなる部分の上に第２の導電層２２が形成されるように、第２の導電膜５１をパターニングする。第２の導電膜５１をパターニングする方法は、特に限定されず、例えば、図示しないレジスト層を形成し、エッチングを行うことで行ってもよい。なお、第２の導電層２２および第１の部分２１ａの説明は、上述されているため、省略する。これによって、第１の導電膜５０は、第２の導電層２２によって覆われた部分（第１の部分２１ａ）と、露出した部分を有することができる。
【００７５】
次に、図４（Ｃ）に示すように、第２の導電層２２をマスクとして、第１の導電膜５０の露出した部分の表面を酸化処理し、酸化層２６となる酸化膜５２を形成する。酸化処理の方法は、特に限定されず、公知の方法を用いることができる。例えば、酸素雰囲気にて第１の導電膜５０の露出部分を熱処理すればよい。具体的には、酸素チャンバー等の中で、酸素または大気導入を行いながら、例えば、１００℃以上、３００℃以下の温度範囲で熱処理を行えばよい。これによって、第２の導電層２２に覆われていない第１の導電膜５０の表面に、緻密な酸化膜５２を形成することができる。
【００７６】
次に、図４（Ｄ）に示すように、第１の導電膜５０を所望の形状にパターニングし、第１の導電層２１および酸化層２６を形成する。第１の導電膜５０をパターニングする方法は、特に限定されず、例えば、図示しないレジスト層を形成し、エッチングを行うことで行ってもよい。
【００７７】
また、半導体基板１０が半導体ウエハである場合、さらに所望のサイズに切断され、半導体装置１００を形成してもよい（図示せず）。
【００７８】
以上のいずれかの構成によって、外部端子６０を有する半導体装置１００の製造方法を構成することができる。
【００７９】
本実施形態に係る半導体装置１００の製造方法は、例えば、以下の特徴を有する。
【００８０】
本発明によれば、接続信頼性の高い半導体装置１００の製造方法を提供することができる。
【００８１】
なお、本実施形態に係る半導体装置の製造方法は、上記の方法に限定されない。図示はしないが、例えば、第１の導電膜５０を形成した後、レジストを形成することで所望の形状にパターニングし、第１の導電層２１を形成してもよい。その後に第２の導電膜５１を形成した後、レジストを形成することで所望の形状にパターニングし、第２の導電層２２を形成してもよい。その後、第２の導電層２２をマスクとして、酸化処理を行って酸化層２６を第１の導電層２１の露出した表面に形成してもよい。若しくは、第１の導電膜５０及び第２の導電膜５１を形成した後、第２の導電膜５１をパターニングして第２の導電層２２を形成し、その後、第１の導電膜５０をパターニングして第１の導電層２１を形成してから、酸化処理を行って酸化層２６を第１の導電層２１の第２の導電層２２から露出した表面に形成してもよい。
【００８２】
３．  電子モジュールの製造方法
以下、図面を参照して、本実施の形態に係る電子モジュール、およびその製造方法について説明する。
【００８３】
図５（Ａ）および図５（Ｂ）は、本実施の形態に係る電子モジュール１０００の製造方法を説明する図である。
【００８４】
本実施の形態に係る電子モジュール１０００の製造方法は、半導体装置１００を用意することを含む。半導体装置１００は、既に上述された、いずれかの構成をなしていればよい。
【００８５】
本実施の形態に係る電子モジュール１０００の製造方法は、配線基板８０を用意することを含む（図５（Ａ）参照）。配線基板８０は、図５（Ａ）に示すように、リード部である配線パターン８１とベース基板８３とを含む。
【００８６】
配線パターン８１は、電気的接続部８２を有する。電気的接続部８２は、配線パターン８１のうち、他の部材との電気的な接続に利用される部分である。配線パターン８１は、例えば、液晶を駆動する電極（走査電極、信号電極、対向電極等）に電気的に接続されていてもよい。配線パターン８１は、ＩＴＯ（Ｉｎｄｉｕｍ  Ｔｉｎ  Ｏｘｉｄｅ）、アルミニウム（Ａｌ）、銅（Ｃｕ）、クロム（Ｃｒ）、チタン（Ｔｉ）、ニッケル（Ｎｉ）、チタンタングステン（Ｔｉ−Ｗ）等の金属膜、金属化合物膜、又は、それらの複合膜によって形成されていてもよい。また、配線パターン８１は、その一部がベース基板８３の内側を通るように形成されていてもよい。
【００８７】
ベース基板８３は、光透過性を有する材料であってもよい。例えば、ベース基板８３の材料は、無機系の材料であることができる。このとき、ベース基板８３は、ガラス基板やセラミックス基板であってもよい。ベース基板８３が、ガラス基板である場合、配線基板８０は、電気光学パネル（液晶パネル・エレクトロルミネッセンスパネル等）の一部であってもよい。あるいは、ベース基板８３は、有機系の材料であってもよく、ポリエチレンテレフタレート（ＰＥＴ）からなる基板又はフィルムであってもよい。あるいは、ベース基板８３としてポリイミド樹脂からなるフレキシブル基板を使用してもよい。フレキシブル基板としてＦＰＣ（Ｆｌｅｘｉｂｌｅ  Ｐｒｉｎｔｅｄ  Ｃｉｒｃｕｉｔ）や、ＴＡＢ（Ｔａｐｅ  Ａｕｔｏｍａｔｅｄ  Ｂｏｎｄｉｎｇ）技術で使用されるテープを使用してもよい。
【００８８】
本実施の形態に係る電子モジュール１０００の製造方法は、半導体装置１００を配線基板８０に搭載することを含む。本工程によって、外部端子６０と配線パターン８１の電気的接続部８２とを接触させて電気的に接続する。これによって、半導体装置１００が、配線基板８０に電気的に接続される。
【００８９】
半導体装置１００を配線基板８０に搭載する方法は、外部端子６０を、配線基板８０の電気的接続部８２に押し当てることができる限り、特に限定されない。以下に半導体装置１００を配線基板８０に搭載する方法の一例を説明する。
【００９０】
はじめに、図５（Ａ）に示すように、半導体装置１００を配線基板８０上方に配置して、半導体装置１００の外部端子６０の配線層２０の第１の部分２１ａの上に設けられた第２の導電層２２と、配線基板８０の配線パターン８１（電気的接続部８２）とが対向するように位置合わせをする。ここで、図５（Ａ）に示すように、半導体装置１００の第１の面１１と、配線基板８０との間に接着剤９０を設ける。本工程では、予め、配線基板８０側に接着剤９０を設けておいてもよいが、特に限定されるものではなく、半導体装置１００側に設けられていてもよい。接着剤９０は、例えば、フィルム状の接着剤を利用してもよい。接着剤９０は、絶縁性の接着剤であってもよい。接着剤９０は、公知のＮＣＦ（Ｎｏｎ−ｃｏｎｄｕｃｔｉｖｅ Ｆｉｌｍ）接着剤であってもよい。
【００９１】
次に、図５（Ｂ）に示すように、半導体装置１００と配線基板８０との間に押圧力を加えることで押圧して、配線層２０の第１の部分２１ａの上に設けられた第２の導電層２２と配線パターン８１（電気的接続部８２）とをそれぞれ接触させる。これによれば、押圧力によって、外部端子６０の配線層２０の一部と、樹脂突起１８を弾性変形させることができる。このとき、樹脂突起１８の弾性力によって、発生する応力を緩和しつつ、配線層２０の第１の部分２１ａの上に設けられた第２の導電層２２と電気的接続部８２（配線パターン８１）とを押し付けることができるため、半導体装置の信頼性を低下させることなく、電気的な接続信頼性の高い電子モジュールを提供することができる。
【００９２】
ここで、図５（Ｂ）に示すように、半導体装置１００を配線基板８０に押圧する工程によって、電子モジュール１０００は、半導体装置１００の配線層２０の第１の部分２１ａの上に設けられた第２の導電層２２と、配線基板８０の電気的接続部８２との接触部分以外において、接着剤９０が充填された構造となる。
【００９３】
図５（Ｂ）に示すように、半導体装置１００の配線層２０の第２の部分２１ｂには、接着剤９０との接着性が、第２の導電層２２よりも良好な、酸化層２６が設けられている。このため、半導体装置１００は、より確実に配線基板８０に接着されることができる。
【００９４】
次に、半導体装置１００を配線基板８０に搭載する工程の後に、接着剤９０を硬化させて、接着層を形成してもよい（図示せず）。接着層によって、半導体装置１００と配線基板８０との間隔を維持してもよい。すなわち、接着層によって、樹脂突起２０が弾性変形した状態を維持してもよい。
【００９５】
図示はしないが、さらに検査工程や切り出し工程等を経て、本実施の形態に係る電子モジュール１０００を製造してもよい。
【００９６】
図６には、電子モジュール１０００の一例として、表示デバイスである場合の電子モジュール１０００を示す。表示デバイスは、例えば液晶表示デバイスやＥＬ（Ｅｌｅｃｔｒｉｃａｌ  Ｌｕｍｉｎｅｓｃｅｎｃｅ）表示デバイスであってもよい。そして、半導体装置１００は、表示デバイスである電子モジュール１０００を制御するドライバＩＣであってもよい。
【００９７】
本実施の形態に係る電子モジュール１０００およびその製造方法は、例えば、以下の特徴を有する。
【００９８】
本実施の形態に係る電子モジュール１０００によれば、接続信頼性の高い半導体装置１００が、確実に接着された、信頼性の高い電子モジュール１０００を提供することができる。
【００９９】
本実施の形態に係る電子モジュール１０００の製造方法によれば、接続信頼性の高い半導体装置１００が、確実に接着された電子モジュール１０００を提供することができる電子モジュールの製造方法を提供することができる。
【０１００】
上記のように、本発明の実施の形態について詳細に説明したが、本発明の新規事項および効果から実体的に逸脱しない多くの変形が可能であることは、当業者には容易に理解できよう。従って、このような変形例はすべて本発明の範囲に含まれるものとする。
【符号の説明】
【０１０１】
１０  半導体基板、１１  第１の面、１２  第２の面、１４  電極、１６  絶縁膜、
１６ａ  開口部、１８  樹脂突起、２０  配線層、２１  第１の導電層、
２１ａ  第１の部分、２１ｂ  第２の部分、２１ｃ  屈曲部、２２  第２の導電層、
２６  酸化層、４０  樹脂材料膜、４１  樹脂層、５０  第１の導電膜、
５１  第２の導電膜、５２  酸化膜、５２  第２の導電膜、６０  外部端子、
８０  配線基板、８１  配線パターン、８２  電気的接続部、９０  接着剤、
１００  半導体装置、１１０  第１の方向、１２０  第２の方向、１０００  電子部品。
【図１】
0005626508.tif 000002
【図２】
0005626508.tif 000003
【図３】
0005626508.tif 000004
【図４】
0005626508.tif 000005
【図５】
0005626508.tif 000006
【図６】
0005626508.tif 000007